(57)【要約】【課題】  ワークたるロッド状体を焼戻しするときの加熱処理の効率化を良くする。【解決手段】  臨在するロッド状体のその軸線方向への前進を許容する送り手段と、この送り手段にあって前進するロッド状体を加熱する加熱手段とを有してなるロッド状体の焼戻し装置において、送り手段がロッド状体を同一の水準位置に水平状態に維持する一方で、この送り手段がロッド状体を前進させ、あるいは、この送り手段にロッド状体を供給する供給手段がロッド状体を前進させ、加熱手段が低周波コイルあるいは中周波コイルからなりながら環状に形成された加熱部内側にロッド状体を挿通させて加熱してなる。【選択図】        図１
2006219745.tif 000002
【特許請求の範囲】
【請求項１】
供給手段から供給されて送り手段に臨在されているロッド状体をこのロッド状体の軸線方向に前進させながら加熱手段で加熱してなるロッド状体の焼戻し方法において、送り手段がロッド状体を複数の支えローラで下方から支えて同一の水準位置に水平状態に維持すると共にロッド状体を上方から抑えローラで抑える一方で、複数の支えローラの任意数の支えローラの駆動でロッド状体を前進させ、あるいは、供給手段にあって前進時にロッド状体を押し出すプッシュロッドの前進でロッド状体を前進させ、加熱手段が低周波コイルあるいは中周波コイルからなりながら環状に形成された加熱部の内側にロッド状体を挿通させて加熱してなることを特徴とするロッド状体の焼戻し方法
【請求項２】
供給手段から供給されて臨在するロッド状体がこのロッド状体の軸線方向に前進することを許容する送り手段と、この送り手段に臨在されて前進するロッド状体を加熱する加熱手段とを有してなるロッド状体の焼戻し装置において、送り手段がロッド状体の下方にあってロッド状体を同一の水準位置で水平状態に下方から支える複数の支えローラと、この複数の支えローラで支えられるロッド状体の上方にあってロッド状体に上方から隣接する抑えローラとを有する一方で、複数の支えローラの任意数の支えローラがロッド状体を前進させる駆動ローラとされ、あるいは、供給手段が先端をロッド状体の後端に当接させながらその前進時にロッド状体を送り手段に押し出すプッシュロッドを有し、加熱手段が低周波コイルあるいは中周波コイルからなりながら環状に形成されて内側にロッド状体を挿通させる加熱部を有してなることを特徴とするロッド状体の焼戻し装置
【発明の詳細な説明】
【技術分野】
【０００１】
この発明は、ロッド状体の焼戻し方法の改良およびロッド状体の焼戻し装置の改良に関する。
【背景技術】
【０００２】
凡そワークたるロッド状体、たとえば、ピストンロッドなどのロッド状体は、所定の機械的強度を有するように形成されるが、そのため、ロッド状体に焼入れと焼戻しを施すことが周知されている。
【０００３】
たとえば、特許文献１には、ワークたる歯車を誘導加熱用のコイルからなる加熱手段で加熱して焼入れ焼戻しする提案が開示されているが、この提案にあっては、従来、焼入れと焼戻しは、いわゆる分離されたエリアで別々に実施されていたと示唆している。
【０００４】
それに対して、この特許文献１に開示の提案では、単一のケース内に焼入れゾーンと焼戻しゾーンを画成することにして、従来から分断されがちだった焼入れと焼戻しの行程を集中させるとしている。
【０００５】
それゆえ、この特許文献１に開示の提案によれば、焼入れと焼戻しの各作業を分離して実施する場合に比較して、装置数を減らし、また、ワークの処理効率を上げることが可能になると言い得る。
【特許文献１】特開平７−２３３４１２号公報（特許請求の範囲  請求項１，段落０００２，同０００６，同００１１，同００１２，同００１５，同００２４，同００２８，図８）
【発明の開示】
【発明が解決しようとする課題】
【０００６】
しかしながら、上記した特許文献１に開示の提案にあっては、所定の焼戻しを実施するについて、処理効率の向上を図れないと指摘される可能性がある。
【０００７】
すなわち、上記した特許文献１に開示の提案にあっては、焼戻しをするための焼戻しゾーンを設けるが、この焼戻しゾーンには、焼入れゾーンで焼入れされたワークが集められ、この焼戻しゾーンで所定数のワークが溜まったならば、この所定数のワークを同時に焼戻しするとしている。
【０００８】
それゆえ、上記の提案は、基本的には、従来のテンパー炉を利用する焼戻しと同等と言い得ることになり、焼戻しに要す時間が焼入れに要す時間より整数倍で長くなることを勘案すると、所望している程に焼戻しにおける処理効率の向上を図れないことになる。
【０００９】
この発明は、このような現状を鑑みて創案されたものであって、その目的とするところは、ワークたるロッド状体を焼戻しするときに、この焼戻しの処理効率を良くし、その汎用性の向上を期待するのに最適となるロッド状体の焼戻し方法およびロッド状体の焼戻し装置を提供することである。
【課題を解決するための手段】
【００１０】
上記した目的を達成するために、請求項１にあって、この発明によるロッド状体の焼戻し方法の構成を、供給手段から供給されて送り手段に臨在されているロッド状体をこのロッド状体の軸線方向に前進させながら加熱手段で加熱してなるロッド状体の焼戻し方法において、送り手段がロッド状体を複数の支えローラで下方から支えて同一の水準位置に水平状態に維持すると共にロッド状体を上方から抑えローラで抑える一方で、複数の支えローラの任意数の支えローラの駆動でロッド状体を前進させ、あるいは、供給手段にあって前進時にロッド状体を押し出すプッシュロッドの前進でロッド状体を前進させ、加熱手段が低周波コイルあるいは中周波コイルからなりながら環状に形成された加熱部の内側にロッド状体を挿通させて加熱してなるとする。
【００１１】
また、請求項２にあって、この発明によるロッド状体の焼戻し装置の構成を、供給手段から供給されて臨在するロッド状体がこのロッド状体の軸線方向に前進することを許容する送り手段と、この送り手段に臨在されて前進するロッド状体を加熱する加熱手段とを有してなるロッド状体の焼戻し装置において、送り手段がロッド状体の下方にあってロッド状体を同一の水準位置で水平状態に下方から支える複数の支えローラと、この複数の支えローラで支えられるロッド状体の上方にあってロッド状体に上方から隣接する抑えローラとを有する一方で、複数の支えローラの任意数の支えローラがロッド状体を前進させる駆動ローラとされ、あるいは、供給手段が先端をロッド状体の後端に当接させながらその前進時にロッド状体を送り手段に押し出すプッシュロッドを有し、加熱手段が低周波コイルあるいは中周波コイルからなりながら環状に形成されて内側にロッド状体を挿通させる加熱部を有してなるとする。
【発明の効果】
【００１２】
それゆえ、この発明によれば、ロッド状体は、送り手段にあって複数の支えローラによって同一の水準位置で水平状態に維持されると共に、このとき、抑えローラがこれを保障するから、この送り手段に臨在されている状態で安定して上下動されなくなり、加熱手段との間に設定される間隔を維持し得ると共に、ロッド状体が前進するときにも加熱手段との間に設定される間隔を維持し得ることになる。
【００１３】
そして、加熱手段が低周波コイルあるいは中周波コイルからなる誘導加熱用のコイルにおける環状に形成の加熱部の内側に上下動しないロッド状体を挿通させるから、加熱手段は、この状態下で通電されることで、ロッド状体に対して設定された所定の加熱を実施し得ることになる。
【００１４】
また、送り手段にロッド状体がエンドレス状態に臨在されるときは、このエンドレス状態に臨在されるロッド状体をエンドレス状態に焼戻し得るから、ロッド状体の焼入れ装置にこのロッド状体の焼戻し装置をライン的に連結することで、焼入れ後のロッド状体を引き続き焼戻しし得ることになり、焼戻しを待って焼入れしたロッド状体をストックさせる必要がなくなる。
【００１５】
ちなみに、駆動ローラとされる支えローラの回転速度を制御することで、ロッド状体の前進速度を制御できるが、供給手段がプッシュロッドでロッド状体を送り手段に向けて押し出すときのプッシュロッドの前進速度を適宜に制御することで、送り手段におけるロッド状体の前進速度を制御することが可能になる。
【００１６】
その結果、この発明によれば、低周波コイルあるいは中周波コイルを利用してロッド状体を焼戻しするときに、焼戻しの処理効率を良くすることが可能になる。
【発明を実施するための最良の形態】
【００１７】
以下に、図示した実施形態に基づいて、この発明を説明するが、この発明によるロッド状体の焼戻し方法は、以下に図示するロッド状体の焼戻し装置で具現化されるので、以下には、このロッド状体の焼戻し装置について説明しながら、ロッド状体の焼戻し方法について説明する。
【００１８】
ちなみに、この発明の具現化にあってのワークたるロッド状体は、この実施形態では、図示しないが、油圧緩衝器を構成するシリンダ体に対して出没可能に連繋されるロッド体たるピストンロッドとされている。
【００１９】
この前提の下に、この発明による焼戻し装置は、図示するところでは、供給手段１と、送り手段２と、加熱手段３とを有してなるとしている。
【００２０】
供給手段１は、ワークたるロッド状体Ｗをこのロッド状体Ｗの軸線方向に押し出して後述する送り手段２にこのロッド状体Ｗを供給するもので、送り手段２にロッド状体Ｗを供給するものであれば、基本的には、自由な構成が選択されて良い。
【００２１】
そして、図示するところでは、この供給手段１がロッド状体Ｗを送り手段２に向けて押し出すプッシュロッド１０を有してなるとし、このプッシュロッド１０は、ワークがロッド状体Ｗからなるから、このロッド状体Ｗを押し出すときに他部に干渉する危惧がなく、円滑な供給を実現できるように、ロッド状体Ｗに相似する径を有してなるとしている。
【００２２】
このとき、このプッシュロッド１０は、ロッド状体Ｗのいわゆる後端に当接される先端の径が、また、この先端を含む先端部の径がロッド状体Ｗの径より小さくなるように設定されていて、上記した他部への干渉の機会を減らせるように配慮されている。
【００２３】
ちなみに、この供給手段１を具現化するにあって、図示するところでロッド状体Ｗを押し進める構成とするのは、この構成に代えて、ロッド状体Ｗが任意の構成で把持などされながら送り手段２側から引かれる構成とする場合に比較して、このロッド状体Ｗがいたずらに外力作用を受けなくなり、したがって、ロッド状体Ｗを自由な状態に維持することが可能になり、その分、爾後の送り手段２の機能するところに悪影響を与え可能性が低くなるからである。
【００２４】
なお、プッシュロッド１０は、図示しないアクチュエータの駆動によって同じく図示しない凹溝や溝付きローラ群などからなるガイド内でその軸線方向となる前進および後退を繰り返し、後退時にガイド内に導入されたロッド状体Ｗを前進時に送り手段２側に押し出すとしている。
【００２５】
以上からすると、この供給手段１は、プッシュロッド１０の前進でロッド状体Ｗを送り手段２に向けて前進させ得るから、既に送り手段２に臨在されているロッド状体Ｗに直列する状態に連続するつぎのロッド状体Ｗをこのプッシュロッド１０で前進させることが可能になる。
【００２６】
送り手段２は、上記した供給手段１から供給されてきたロッド状体Ｗを同一の水準位置で水平状態に維持して上下動させないように機能すると共に、この状態下にロッド状体Ｗを一定の制御速度下に前進させるもので、図示する実施形態では、いわゆる前後で一対となる複数の支えローラ２０，２１と、同じく前後で一対となる複数の抑えローラ２２，２３とを有してなる。
【００２７】
このとき、図２に示すように、支えローラ２０，２１は、ロッド状体Ｗのいわゆる脱落を阻止するために溝付き型に設定され、抑えローラ２２，２３は、ロッド状体Ｗに隣接されれば足りるので、溝を有しないいわゆる平坦型に設定されてなるとしている。
【００２８】
そして、複数の支えローラ２０，２１は、原理的には、いわゆる前後に直列しながらロッド状体Ｗを下方から支えて、このロッド状体Ｗの前進を許容するもので、上記した同一の水準位置で水平状態に維持する目的を達成できるように、図示するところでは、それぞれが同径に設定されると共に、さらには、同径となる言わば副の支えローラ２０ａ，２１ａを近隣させるとしている。
【００２９】
このように、副の支えローラ２０ａ，２１ａが主たる支えローラ２０，２１に近隣することで、それぞれが同時に、すなわち、ロッド状体Ｗを下方から支える機会が増えることになり、その分、ロッド状体Ｗを同一の水準位置に水平状態に維持することを保障し易くなる。
【００３０】
そして、また、主たる支えローラ２０，２１は、図示しないが、適宜の駆動源に機械的に連結され、あるいは、駆動モータを有するなどして駆動ローラになるとされ、しかも、同期して駆動されるとしており、ロッド状体Ｗが少なくともいずれかの駆動ローラになる支えローラに２０あるいは２１に接触している限りには、その前進が保障されるとしている。
【００３１】
以上からすれば、主たる支えローラ２０，２１によるロッド状体Ｗの前進が保障される限りには、上記の副となる支えローラ２０ａ，２１ａについては、その配在が省略されるとしても良い。
【００３２】
ただ、支えローラ２０，２１および２０ａ，２１ａは、ロッド状体Ｗを下方から支えるとする本来の機能を有する上からは、言わば従動ローラとされる支えローラ２０ａ，２１ａは、その配設が省略されない方が有利になるのはもちろんである。
【００３３】
一方、抑えローラ２２，２３は、上記の支えローラ２０，２０ａおよび２１，２１ａに対向するように、すなわち、図示するところでは、支えローラ２０，２０ａに対向するように抑えローラ２２が配在されると共に、支えローラ２１，２１ａに対向するように抑えローラ２３が配在されて、ロッド状体Ｗに隣接し、ロッド状体Ｗを下方の支えローラ２０，２０ａおよび２１，２１ａに上に安定させるようにしている。
【００３４】
このとき、各抑えローラ２２，２３は、すなわち、抑えローラ２２は、支えローラ２０と副ローラ２０ａの間に、また、抑えローラ２３は、支えローラ２１と副ローラ２１ａの間に位置決められるようにして、それぞれ、配置位置についていわゆるバランスをとっている。
【００３５】
もっとも、この上記の送り手段２が上記の副となる支えローラ２０ａ，２１ａを有しない構成とされる場合には、支えローラ２０，２１に対向するように各抑えローラ２２，２３が配在されるであろう。
【００３６】
以上のように、この送り手段２にあって、抑えローラ２２，２３がロッド状体Ｗを上方から抑えることで、複数の支えローラ２０，２０ａおよび２１，２１ａによってロッド状体Ｗを同一の水準位置で水平状態に維持することをこの抑えローラ２２，２３が保障することになる。
【００３７】
このことからすれば、抑えローラ２２，２３については、ロッド状体Ｗを複数の支えローラ２０，２１および２０ａ，２１ａ上に安定させる訳であるが、この安定させる機能を重視することからすれば、抑えローラ２２，２３の自重による荷重に頼るだけでなく、積極的に荷重を管理する方が得策と言い得る。
【００３８】
そこで、この抑えローラ２２，２３は、図示するところでは、プレッシャ２２ａ，２３ａからの荷重を受けてロッド状体Ｗに隣接するとしており、このとき、プレッシャ２２ａ，２３ａは、図示しないが、バネ要素を有してなり、あるいは、シリンダ要素を有してなるなど任意に構成されて良い。
【００３９】
ところで、上記した支えローラ２０，２１および２０ａ，２１ａについてであるが、これがロッド状体Ｗを同一の水準位置で水平状態に維持する限りには、前記したところに代えて、自由な構成とされて良く、たとえば、径を異ならしめたり、軸線の水準位置を異ならしめたりしても良いことはもちろんである。
【００４０】
そして、抑えローラ２２，２３についても、ロッド状体Ｗに上から隣接されてこのロッド状体Ｗを下方に押し付けるように機能する限りには自由な構成とされて良い。
【００４１】
ただ、支えローラ２０，２１および２０ａ，２１ａ、あるいは、抑えローラ２２，２３がいたずらに小径に設定される場合には、所定の機能の発揮に障害になり易く、逆に、大径に設定される場合には、これらが周辺に干渉するなどの障害になり易くなるであろうから、好ましくないとされるであろう。
【００４２】
また、上記したところでは、この送り手段２にあって、支えローラ２０，２１が駆動ローラとされることがあるとしたが、この駆動ローラとされることがある支えローラ２０，２１を同期駆動させることは、実際には簡単ではなく、そのことを勘案すると、支えローラ２０，２１のいずれか一方が駆動ローラとされ、他方は従動ローラとされるとしても良く、この場合の方が、結果的に、ロッド状体Ｗを設定通りに回転させるのが容易になるとも言い得る。
【００４３】
つぎに、加熱手段３は、前記した送り手段２にあって前進されている、すなわち、前記した供給手段１で前進され、あるいは、送り手段２にあって前進されているロッド状体Ｗを加熱処理するもので、この実施の形態にあっては、低周波コイルあるいは中周波コイルたる誘導加熱用のコイルからなるとしている。
【００４４】
そして、この加熱手段３にあっては、誘導加熱用のコイルにおける環状に形成された加熱部３０を有してなると共に、この加熱部３０の内側にロッド状体Ｗを挿通させてなるとしている。
【００４５】
このとき、前記したように、この発明にあって、ロッド状体Ｗは、送り手段２にあって、複数の支えローラ２０，２１および２０ａ，２１ａで下方から支えられて同一の水準位置で水平状態に維持されると共に抑えローラ２２，２３で上方から抑えられて上下動され図して安定状態に維持されるから、加熱部３０との間の間隔を設定通りに維持することが可能になり、加熱手段３による所定の加熱、すなわち、所定の焼戻しを実施し得ることになる。
【００４６】
ところで、この加熱手段３でロッド状体Ｗを加熱するときに、この加熱の硬化の効果がロッド状体Ｗにおけるいわゆる軸芯部に及ぶ方が好ましいことはもちろんであるが、単純には、低周波コイルによる加熱の方が中周波コイルによる加熱に比較して、焼戻しの効果が低下されると言い得る。
【００４７】
だとすれば、先に焼入れされたロッド状体Ｗをいわゆる時間をおかずして焼戻しする場合には、たとえば、中周波コイルによる加熱を選択して加熱時間を短くするようにし、あるいは、低周波コイルによる加熱を選択して加熱時間を長くするようにして、ライン上でのいわゆる材料供給との間にズレをなくすなど任意の調整が可能になるであろう。
【００４８】
一方、ロッド状体Ｗを油圧緩衝器におけるピストンロッドとする場合には、図示しないが、このロッド状体Ｗにおける一端部をピストンロッドにおける言わば基端部にするための加工と、このロッド状体Ｗにおける他端部をピストンロッドにおける言わば先端部にするための加工が必要になる。
【００４９】
このとき、このロッド状体Ｗにおける一端部および他端部に対する加工は、ロッド状体Ｗを加熱する前であっても良いのはもちろんのこと、加熱した後でも良いが、いずれにしても、この加熱手段３による加熱は、高周波コイルによる加熱と異なり、組織変性の態様が異なるので、ロッド状体Ｗにおける両端部を含んで実施されて良い。
【００５０】
なお、この発明にあっては、前記した供給手段１は、プッシュロッド１０でロッド状体Ｗを押し出すようにして送り手段２側、すなわち、加熱手段３側に前進させるから、このロッド状体Ｗにおいて、加熱前に両端部におけるいわゆる所定の加工が施されているとしても、これが障害になる危惧はない。
【００５１】
それゆえ、この発明におけるロッド状体の焼戻し装置にあっては、ロッド状体Ｗが連続して送り手段２に供給されることで、加熱手段３における通電のオンオフをロッド状体Ｗ毎に繰り返す必要がなくなることになり、このことから、加熱手段３に電気的に接続する接点の耐久性を保障し易くなる点で有利となる。
【００５２】
それゆえ、以上のように形成されたこの発明によるロッド状体の焼戻し装置にあっては、送り手段２にあって、ロッド状体Ｗが複数の支えローラ２０，２１および２０ａ，２１ａによって下方から支えられて同一の水準位置で水平状態を維持すると共に、抑えローラ２２，２３によってこの状態が保障されることになる。
【００５３】
そして、この状態下に、送り手段２における支えローラ２０，２１の駆動で、送り手段２にあるロッド状体Ｗが前進されるから、このとき、支えローラ２０，２１の駆動速度を適宜に制御することで、最適な前進速度でロッド状体Ｗを前進させ得ることになる。
【００５４】
そして、加熱手段３は、低周波コイルあるいは中周波コイルからなる誘導加熱用のコイルにおける環状に形成の加熱部３０の内側に上記のロッド状体Ｗを挿通させるから、ロッド状体Ｗが加熱部３０に対して偏芯される機会が減り、設定された所定の加熱状態を具現化でき、所望の焼戻しを実施できることになる。
【図面の簡単な説明】
【００５５】
【図１】この発明によるロッド状体の焼戻し方法を具現化するロッド状体の焼戻し装置の一実施形態を示す原理図である。
【図２】図１に示す焼戻し装置を側方から観る拡大図である。
【符号の説明】
【００５６】
１  供給手段
２  送り手段
３  加熱手段
１０  プッシュロッド
２０，２０ａ，２１，２１ａ  支えローラ
２２，２３  抑えローラ
３０  加熱部
Ｗ  ロッド状体
【図１】
2006219745.tif 000003
【図２】
2006219745.tif 000004